(57)【要約】【課題】  フレームレスファンの固定構造を提供する。【解決手段】  主に駆動受け台、嵌合蓋板、ファンを含む。該駆動受け台の一端には該ファンに設置する結合部と嵌合する回転軸を設置し、反対端には伝動ユニットを設置する設置部を設置する。該設置部はその内壁上に複数の係合槽を設置し、該嵌合蓋板に設置する複数の係合フックと相互に対応する。上記構造を被設置物体(電源サプライの散熱網孔など)上に設置する時には、該駆動受け台と該嵌合蓋板をそれぞれ該被設置物体両側に設置し、これにより該駆動受け台に設置する係合槽と該嵌合蓋板に設置する係合フックは相互に嵌合し、迅速かつ安定的に該被設置物体上において挟固することができる。【選択図】  図  ２
0003112320.tif 000002
【実用新案登録請求の範囲】
【請求項１】
主に駆動受け台、嵌合蓋板、ファンを含み、
該駆動受け台の一端には回転軸を設置し、反対端には伝動ユニットを設置する設置部を設置し、該設置部はその内壁上に複数の係合槽を設置し、
該嵌合蓋板の一端には該駆動受け台に設置する係合槽と相互に対応する複数の係合フックを設置し、
該ファンは本体軸芯位置において結合部を設置し、これにより該駆動受け台に設置する該回転軸と相互に嵌設することを特徴とするフレームレスファンの固定構造。
【請求項２】
前記設置部の外壁上には外部へと延伸する導溝を開設し、該導溝上には相互に対応する２個の接続設置部及び係合部を設置し、これにより対応し組合わせる導レバーとその接続部及び突起フックは相対的に接続され一体となることを特徴とする請求項１記載のフレームレスファンの固定構造。
【考案の詳細な説明】
【技術分野】
【０００１】
本考案は一種のフレームレスファンの固定構造に関する。公知の散熱ファンは外フレームを具え、それにより全体を被設置物体上に螺固するため、外フレームのコストがかかり、また設置時の煩雑な螺固作業を必要とするが、それらを排除可能な一種のフレームレスファンの固定構造に係る。
【背景技術】
【０００２】
図１に示すように、公知の散熱ファンの固定構造は主にファン伝動ユニット１(制御回路、コイル、磁石、ファンなど)をフレーム体２上に設置し、該フレーム体２周囲には複数のネジ孔２１を設置する。被設置物体３(電源サプライの散熱網孔など)上に設置する時には、該フレーム体２を該被設置物体３の片側に設置し、複数のネジ４により該被設置物体３の反対側において、該フレーム体２のネジ孔２１に対応螺固し、該ファン伝動ユニット１の固定を達成する。
しかし上記の公知構造においては、該フレーム体２により該ファン伝動ユニット１を設置後、複数のネジ４により該被設置物体３上に固定しなければならないため、該フレーム体２及び該ネジ４のコスト分が新たな負担となる。さらに、該フレーム体２を設置する時には、該複数のネジ４により対応螺固しなければならないため、使用者にとっては組立て時の面倒となっている。また、該ファン伝動ユニット１が回転する時、その回転の過程で該フレーム体２との間で空気摩擦の騒音を生じてしまう。
【考案の開示】
【考案が解決しようとする課題】
【０００３】
公知構造には以下の欠点があった。
すなわち、フレーム体を固定構造として設置する必要があり、さらに複数
のネジにより被設置物体上に固定するため、該フレーム体と該ネジ分のコストが増加してしまう。さらに使用者にとっては組立て作業を煩雑にするという欠点もある。またファンの回転過程においては、フレーム体との間に空気の摩擦による騒音を発生する。
本考案は上記構造の問題点を解決したフレームレスファンの固定構造を提供するものである。
【課題を解決するための手段】
【０００４】
上記課題を解決するため、本考案は下記のフレームレスファンの固定構造を提供する。
それは主に駆動受け台、嵌合蓋板、ファンを含み、
該駆動受け台の一端には該ファンに設置する結合部と嵌合する回転軸を設置し、反対端には伝動ユニットを設置する設置部を設置し、該設置部はその内壁上に複数の係合槽を設置し、該嵌合蓋板に設置する複数の係合フックと相互に対応し、
上記構造を被設置物体(電源サプライの散熱網孔など)上に設置する時には、該駆動受け台と該嵌合蓋板をそれぞれ該被設置物体両側に設置し、該駆動受け台に設置する係合槽と該嵌合蓋板に設置する係合フックは相互に嵌合し、迅速かつ安定的に該被設置物体上において挟固されることを特徴とするフレームレスファンの固定構造である。
【考案の効果】
【０００５】
上記のように、本考案はフレーム体を固定構造として利用せず、複数のネジにより被設置物体上に固定することもないため、両者によるコスト増加がなく、迅速かつ安定的に被設置物体上に挟固される。さらに、フレーム体を設置しないため、ファン回転時にも空気摩擦による騒音は発生しない。
【考案を実施するための最良の形態】
【０００６】
図２に示すように、本考案フレームレスファンの固定構造は駆動受け台５、嵌合蓋板６、ファン７を含む。
該駆動受け台５の一端には回転軸５１を設置し、反対端には伝動ユニット(制御回路、コイル、磁石など:図示なし)を設置する設置部５２を設置する。該設置部５２はその内壁上に複数の係合槽５２１を設置し、その外壁上には外部へと延伸する導溝５３を開設する。該導溝５３上には相互に対応する２個の接続設置部５３１及び係合部５３２を設置し、これにより対応し組合わせる導レバー８とその接続部８１及び突起フック８２は相対的に接続される。
該嵌合蓋板６の一端には該駆動受け台５に設置する係合槽５２１と相互に対応する複数の係合フック６１を設置する。
該ファン７は本体軸芯位置において結合部７１を設置し、これにより該駆動受け台５に設置する該回転軸５１と相互に嵌設する。
【０００７】
次に図３、４に示すように、上記構造を該被設置物体３(電源サプライの散熱網孔など)上に設置する時について説明する。
先ず、該駆動受け台５に設置する回転軸５１と該ファン７に設置する結合部７１を相互に嵌設し、該嵌合蓋６を該被設置物体３両側にそれぞれ設置する。こうして、該駆動受け台５に設置する係合槽５２１と該嵌合蓋板６に設置する係合フック６１は相互に嵌合(嵌合の状況は拡大図を参照)し、迅速かつ安定的に該被設置物体３上において挟固される。
これにより、公知の散熱ファンでは外フレームを固定構造として使用し、初めて全体構造を被設置物体３上に固定可能であったため生じていた外フレームと螺固部品のコスト負担と使用者の設置時の面倒を排除することができる。さらに、本考案は外フレーム構造によるカバーを必要としないため、該ファン７の回転時も外フレーム構造との間で空気の摩擦による騒音が発生することはない。
【０００８】
続いて図２、５に示すように、本考案の別種の実施例では、該駆動受け台５の設置部５２外壁上には外部へと延伸する導溝５３開設する。該導溝５３上には相互に対応する接続設置部５３１と係合部５３２を設置する。これにより、対応し設置する該導レバー８に設置する接続部８１及び突起フック８２は相互に一体に接続し、該駆動受け台５と接続時に、外部に接続する導線９を収容し、該ファン７との接触を防止し、該導線９の破損、ショートの状況の発生を未然に防ぐことができる。
【図面の簡単な説明】
【０００９】
【図１】公知の散熱ファン固定構造の指示図である。
【図２】本考案の全体構造の分解指示図である。
【図３】本考案の全体構造の組合せ実施例指示図である。
【図４】本考案の組合せ実施例断面指示図である。
【図５】本考案の別種の実施例指示図である。
【符号の説明】
【００１０】
１  ファン伝動ユニット
２  フレーム体
２１  ネジ孔
３  被設置物体
４  ネジ
５  駆動受け台
５１  回転軸
５２  設置部
５２１  係合槽
５３  導溝
５３１  接続設置部
５３２  係合部
６  嵌合蓋板
６１  係合フック
７  ファン
７１  結合部
８  導レバー
８１  接続部
８２  突起フック
９  導線
【図１】
0003112320.tif 000003
【図２】
0003112320.tif 000004
【図３】
0003112320.tif 000005
【図４】
0003112320.tif 000006
【図５】
0003112320.tif 000007